(57)【要約】      （修正有）【課題】ゴルフ練習に関して、天然芝での練習に出来る限り近い条件で出来ることを可能にするターフ形状のゴルフ練習用マット及び補助器具を提供する。【解決手段】ゴルフ場の天然芝でのショットを練習用マットで可能する目的で、練習用マットのゴム部分をターフ形状とし、クラブヘッドがボール手前から芝水平面より下を通過し、水平面より上に振りぬけるまでクラブヘッドとターフ面が接触状態を維持し、ターフショット練習を可能とし、ターフ形状のへこみを２列以上作ることにより、マットの左右置き換えてにより４列以上のターフ練習を可能とし経済効率を上げ実用化を容易とする。【選択図】図１
0003143975.tif 000002
【実用新案登録請求の範囲】
【請求項１】
練習場でのゴルフ練習用マットと、ゴルフ場の天然芝でのショットとの違いを少なくする目的で、練習用マットのゴム部分をターフの形状とし、クラブヘッドがボール手前位置から芝水平面より下を通過し、水平面より上に振りぬけるまでのターフ区間はクラブヘッドとターフ面が接触状態を維持し、ターフ形状のへこみを２列以上作ることにより、マットの左右の置き換えなどにより１枚のマットで４列以上のターフシング練習を可能とし、芝の長さの調整によりマットの外見を平面的とすることにより視覚的にもゴルフ場の芝と同じイメージでの練習を可能とし、ターフシングができる部分を４列以上とすることにより、経済効率を飛躍的に上げ実用化を容易にすることを可能としたことを特徴とするターフ形状のゴルフ練習用マット及び補助器具。
【請求項２】
ゴルフ練習場の練習用マットと、ゴルフ場の天然芝でのショットとの違い少なくする目的で、円の外周部分を斜めにカットした形状又は四方形の外周部分を斜めにカットした形状の補助マットを既存練習用マットの上に載せ、ボールを外周部分に載せてのシングの軌道がターフを取るときの軌道に近い形となるように構成したことを特徴とし、クラブヘッドがターフ区間途中でターフ面から離れることなく接触状態を維持する形状とし、更に円形の形状により円の外周全てがターフ練習可能となり、又四方形の形状により四面全体がターフ練習可能となり、更に既存ゴルフ練習用マットに固定しないで任意の位置に置くことを可能とすることにより、ショットによる芝の消耗部分を分散拡大することにより、経済効率を飛躍的に上げ実用化を容易にすることを可能としたことを特徴とするターフ形状のゴルフ練習用マット及び補助器具。
【請求項３】
請求項２のターフ形状のゴルフ練習用マットのゴム部分の厚みを薄くして、更に大きさを小さくし、消耗すれば容易に低価格で交換可能とすることにより経済効率を上げることを可能とする構成としたマットを既存練習用マットの上に載せ、シングの衝撃によりマットが飛ばされなくする目的で、ドライバー練習用の鉄の重しの器具に取付ける構成とし、ゴム部分を薄く、大きさを小さくして製造コストを低くして容易に交換可能することにより経済効率を飛躍的に上げることを可能としたターフ形状のゴルフ練習用マット及び補助器具。
【請求項４】
ゴルフ練習場の練習用マットと、ゴルフ場の天然芝でのショットとの違い少なくする目的で、既存のゴルフ練習用マットの下にショット方向の後部から前部に至るまで傾斜面とならないフラットなゴムマットで、断面のみを斜めにカットしたゴムマットを既存ゴルフ練習用マットの下に敷くことにより、既存ゴルフ練習用マットはターフシングに相当する形状となり、ゴムマットを敷く位置を移動することにより既存ゴルフ練習用マットの殆ど全ての部分でのターフシング練習を可能とする構成により、最も経済効率を良くする構成を特徴とするターフ形状のゴルフ練習用マット及び補助器具。
【考案の詳細な説明】
【技術分野】
【０００１】  本発明は、ゴルフ練習に関して、ゴルフ練習場での練習がゴルフ場での天然芝での練習と出来る限り近い条件で出来ることを可能とするターフ形状のゴルフ練習用マット及び補助器具である。且つ、ターフ形状の部分のみが消耗するので経済的非効率であるが、そのターフ形状の部分を拡大することにより、経済的効率性を達成し、加えて資源の無駄を最小限にすることを可能としたターフ形状のゴルフ練習用マット及び補助器具である。
【背景技術】
【０００２】  従来は、ゴルフ練習用マットの一部分に限ってのターフシング形状のマットであり、その一部分を使用してターフ練習をすると、その部分のみの人工芝が削られ、他の人工芝部分が新品状態であっても、ターフ練習用マットとしては使用できなくなった。更に、マットを新品と交換するにはマット１枚全体を交換する必要があった。その費用は練習場経営の採算割れとなる可能性があり、商品化は難しかった。【０００３】  又、ティーアップに準ずるゴム製のボール置き器具にボール載せてボールを打つ練習をすることもあるが、下方に打ち込むことも、上に打ち上げることも自由にできるので下に打ち込むターフ練習に限定することは難しかった。この器具にはゴム部分が長いドライバー練習用とゴム部分が短いアイアン用がある。【０００４】  又、既存の長方形の練習用マット左端にボールを置き、ターフ練習をすることもあるが、練習用マット外のコンクリート面を打たないように注意して打つと手が伸びきらなく、ゴルフの腕前によっては完全なるターフ練習ができない。更に、既存ゴルフ練習用マット左端からのショットに限らず、シングのターフ部分付近の芝がない部分が存在するマットの場合、芝面が存在しない部分も含めてのターフシングとなり実際のシングイメージとは異なる。ティーアップ用ゴム器具、既存ゴルフ練習用マットの左端にボールを置く場合、そして凸形状タイプのゴムマットもクラブヘッド接触面がターフ形状ではなく、つまり実際のターフシングはクラブヘッドがボール手前位置から芝水平面より下を通過し、水平面より上に降りぬけるまでのターフ区間はクラブヘッドと地面が接触状態を維持するものであるが、上記凸形状マットなどの場合のシングはクラブヘッドとマットの接触がターフ区間の途中で離れる所が存在し、打ち込んで芝を削るときの手の衝撃なども考慮したターフシングを想定しての練習が難しい。つまり、実際のターフシングと凸形状のゴムマットの形状が異なり、クラブヘッドがターフ区間途中で一瞬ゴム部分のない所を通過するので衝撃も同じではない。【０００５】  又、既存のゴルフ練習用マットの下にショット方向の後部から前部に至るに伴い次第に高くなる緩やかな上り傾斜面となるよう斜めのゴムマットを敷いての練習は、ゴルフ場での左足上がりの斜面の練習（右利きの場合）は可能であるが、左下がり斜面やフラット面その他全般的なシング練習はできない。
【考案の開示】
【考案が解決しようとする課題】
【０００６】  従来技術の構成では、ゴルフ場でのショットに近いショット練習をする練習用マットは、その部分に限定、或いはその一点に限定してのシング練習しか可能でなかったので、その部分が消耗すれば使用できなくなり経済効率は極めて悪かった。練習用マットでのターフ練習を可能とする部分を拡大してマット全体がターフ練習を可能とする位の効率性を追求する必要がある。又、人工芝が削られ消耗した場合でも、経済効率から考え、その部分に限定して交換を可能とする必要かある。つまり、ターフシングのクラブヘッドの軌道に近い形状とし、且つクラブヘッドがターフ区間を通過するときは芝面と接触状態が一部途切れることもあり、手の衝撃の感覚の掌握が難しい。【０００７】  左足上がりとか、左足下がりを想定しての練習も必要であるが、まずフラットを基準にしたターフ練習を基本に、練習用マット作ることが重要である。更に、平坦な芝の水平面を基準にクラブヘッドが芝の水平面より下を通過させることが重要である。
【課題を解決するための手段】
【０００８】請求項１は、練習場でのゴルフ練習用マットと、ゴルフ場の天然芝でのショットとの違いを少なくする目的で、練習用マットのゴム部分をターフの形状とし、クラブヘッドがボール手前位置から芝水平面より下を通過し、水平面より上に振りぬけるまでのターフ区間はクラブヘッドとターフ面が接触状態を維持し、ターフ形状のへこみを２列以上作ることにより、マットの左右の置き換えなどにより１枚のマットで４列以上のターフシング練習を可能とし、芝の長さの調整によりマットの外見を平面的とすることにより視覚的にもゴルフ場の芝と同じイメージでの練習を可能とし、ターフシングができる部分を４列以上とすることにより、経済効率を飛躍的に上げ実用化を容易にすることを可能としたことを特徴とするターフ形状のゴルフ練習用マット及び補助器具である。【０００９】請求項２はゴルフ練習場の練習用マットと、ゴルフ場の天然芝でのショットとの違い少なくする目的で、円の外周部分を斜めにカットした形状又は四方形の外周部分を斜めにカットした形状の補助マットを既存練習用マットの上に載せ、ボールを外周部分に載せてのシングの軌道がターフを取るときの軌道に近い形となるように構成したことを特徴とし、クラブヘッドがターフ区間途中でターフ面から離れることなく接触状態を維持する形状とし、更に円形の形状により円の外周全てがターフ練習可能となり、又四方形の形状により四面全体がターフ練習可能となり、更に既存ゴルフ練習用マットに固定しないで任意の位置に置くことを可能とすることにより、ショットによる芝の消耗部分を分散拡大することにより、経済効率を飛躍的に上げ実用化を容易にすることを可能としたことを特徴とするターフ形状のゴルフ練習用マット及び補助器具である。【００１０】  請求項３は、請求項２のターフ形状のゴルフ練習用マットのゴム部分の厚みを薄くして、更に大きさを小さくし、消耗すれば容易に低価格で交換可能とすることにより経済効率を上げることを可能とする構成としたマットを既存練習用マットの上に載せ、シングの衝撃によりマットが飛ばされなくする目的で、ドライバー練習用の鉄の重しの器具に取付ける構成とし、ゴム部分を薄く、大きさを小さくして製造コストを低くして容易に交換可能することにより経済効率を飛躍的に上げることを可能としたターフ形状のゴルフ練習用マット及び補助器具である。【００１１】  請求項４は、ゴルフ練習場の練習用マットと、ゴルフ場の天然芝でのショットとの違い少なくする目的で、既存のゴルフ練習用マットの下にショット方向の後部から前部に至るまで傾斜面とならないフラットなゴムマットで、断面のみを斜めにカットしたゴムマットを既存ゴルフ練習用マットの下に敷くことにより、既存ゴルフ練習用マットはターフシングに相当する形状となり、ゴムマットを敷く位置を移動することにより既存ゴルフ練習用マットの殆ど全ての部分でのターフシング練習を可能とする構成により、最も経済効率を良くする構成を特徴とするターフ形状のゴルフ練習用マット及び補助器具である。
【考案の効果】
【００１２】  ゴルフ練習用マットは、ゴム部分がターフ形状でないと、シングのときにゴム部分の衝撃が多くターフシングの練習をするには特に初心者には難しい。そこで、練習用マットの形状をターフの形状とすることにより解決する。しかし、練習用マットのターフ部分のみが消耗するので経済効率が悪い。そこで、ターフ形状を列状の直線的範囲に広げて２列以上作ることにより、マットの左右の置き換えなどにより１枚のマットで４列以上のターフシング練習を可能とし、芝の長さの調整によりマットの外見を平面的とすることにより視覚的にもゴルフ場の芝と同じイメージでの練習を可能とし、ターフシングができる部分を４列以上とすることにより、経済効率を飛躍的に上げ実用化を容易にすることを可能とすることにより解決する。【００１３】  請求項２は特に、円の外周部分を斜めにカットした形状又は四方形の外周部分を斜めにカットした形状の補助マットを既存練習用マットの上に載せ、ボールを外周部分に載せてのシングの軌道がターフを取るときの軌道に近い形となるように構成したことにより解決する。特に円形の形状により円の外周全てがターフ練習可能となり、又四方形の形状により四面全体がターフ練習可能となり、更に既存ゴルフ練習用マットに固定しないで任意の位置に置くことを可能とすることにより、ショットによる芝の消耗部分を分散拡大することができ、経済効率を飛躍的に上げ実用化を容易にすることを可能としたことにより解決する。【００１４】  請求項３は、請求項２のターフ形状のゴルフ練習用マットのゴム部分の厚みを薄くして、更に大きさを小さくし、消耗すれば容易に低価格で交換可能とすることにより解決する。更に、既存練習用マットの上に載せ、シングの衝撃によりマットが飛ばされなくする目的で、ドライバー練習用の鉄の重しの器具に取付ける構成とし、ゴム部分を薄く、大きさを小さくして製造コストを低くして容易に交換可能することにより経済効率を飛躍的に上げることを可能としたことにより解決する。【００１５】  請求項４は特に、既存のゴルフ練習用マットの下にショット方向の後部から前部に至るまで傾斜面とならないフラットなゴムマットで、断面のみを斜めにカットしたゴムマットを既存ゴルフ練習用マットの下に固定接着することなく敷くことにより解決する。つまり、既存ゴルフ練習用マットが断片を斜めにカットしたマットを敷くことにより、ゴルフシングでボールを捉えた位置から下方向へのターフシング形状となることにより解決する。更に、ターフシングに相当する形状が、ゴムマットを敷く位置を移動することにより既存練習用マットの殆ど全ての部分でのターフシング練習を可能とする構成により、経済効率を良くすることを可能とすることにより解決する。
【考案を実施するための最良の形態】
【００１６】  請求項１の図１は、ターフシング用のゴルフ練習用マットの断面図である。（１）は人工芝で、（２）はゴムマット、（３）はターフ部分のへこみであり、そのへこみを人工芝（１）の長さにより調整したフラットなゴルフ練習用マットであり、ターフ形状の列を３列作り、マットの左右置き換えにより６列のターフ練習を可能とする。【００１７】  請求項１の図２は、ターフシング用のゴルフ練習用マットの平面図であり、芝全体（４）’の色はグリーンとし、ターフシングをするのに適したボールを置く位置の線（４）は赤色とする。【００１８】  請求項２の図３は、既存ゴルフ練習用マット（５）の上に、ターフシングを可能とする補助マット（６）を載せた断面図である。【００１９】  請求項２の図４は、既存ゴルフ練習用マット（５）の上に、ターフシングを可能とする補助マットを載せた上面図であり、ターフシングを可能とする目的で補助マットの周囲を斜めに切った部分（７）を示す平面図である。【００２０】  請求項３の図５は、既存ゴルフ練習用マット（８）の上に、ゴム部分を薄くして、小さくして製造費を安くした補助マット（９）を載せ、ターフシングを行い人工芝が消耗したときは容易に交換可能とし、ゴム部分を薄くしたことにより補助マット（９）がシングにより飛ばされなくする目的で鉄板（１０）に取り付ける構成とした断面図である。【００２１】  請求項３の図６は、既存ゴルフ練習用マット（８）の上に、ゴム部分を薄くして、小さくして製造費を安くした補助マットを載せ、ターフシングを行い人工芝が消耗したときは取外し取付け部（１１）で容易に交換可能とし、ゴム部分を薄くしたことにより補助マットがシングにより飛ばされなくする目的で鉄板（１０）に取り付ける構成とした平面図である。【００２２】  請求項４の図７は、既存ゴルフ練習用マット（１２）の下に、ショット方向の後部から前部に至るまで傾斜面とならないフラットな補助マットで、断面（１４）のみを斜めにカットした補助マット（１３）を置き、既存ゴルフ練習用マット（１２）の形状がターフシングを行うときのターフの形状となることを示す断面図である。【００２３】  請求項４の図８は、既存ゴルフ練習用マット（１２）の下に、ショット方向の後部から前部に至るまで傾斜面とならないフラットな補助マットで、断面（１４）のみを斜めにカットした補助マット（１３）を置き、既成ゴルフ練習用マット（１２）の形状がターフシングを行うときのターフの形状となることを示す平面図である。
【図面の簡単な説明】
【００２４】
【図１】  請求項１のターフ形状のゴルフ練習用マットの断面図である。
【図２】  請求項１のターフ形状のゴルフ練習用マットの平面図である。
【図３】  請求項２の補助マットを載せターフ形状となるゴルフ練習用マットの断面図である。
【図４】  請求項２の補助マットを載せターフ形状となるゴルフ練習用マットの平面図である。
【図５】  請求項３のゴム部分を薄くした補助マットを載せ、ターフ形状となるゴルフ練習用マットの断面図である。
【図６】  請求項３のゴム部分を薄くした補助マットを載せ、ターフ形状となるゴルフ練習用マットの平面図である。
【図７】  請求項４のフラットで断片のみが斜めにカットされた補助マットを既存ゴルフ練習用マットの下に置き、既存ゴルフ練習用マットがターフシング形状となることを示す断面図である。
【図８】  請求項４のフラットで断片のみが斜めにカットされた補助マットを既存ゴルフ練習用マットの下に置き、既存ゴルフ練習用マットがターフシング形状となることを示す平面図である。
【符号の説明】
【００２５】１    人工芝
２    へこみを作ったゴルフ練習用ゴムマット
３    ゴルフ練習用マットのターフ部分
４    ボールを置くライン（赤色ライン）
４’  人工芝（緑色）
５    既存ゴルフ練習用マット
６    ゴルフ練習用補助マット
７    ゴルフ練習用補助マットの斜めにカットした部分
８    既存ゴルフ練習用マット
９    ゴム部分を薄く小さくした補助マット
１０  鉄の重し
１１  取外し取り付け部
１２  既存ゴルフ練習用マット
１３  補助マット
１４  補助マットの斜めにカットした部分
【図１】
0003143975.tif 000003
【図２】
0003143975.tif 000004
【図３】
0003143975.tif 000005
【図５】
0003143975.tif 000006
【図７】
0003143975.tif 000007
【手続補正書】
【提出日】平成20年6月6日(2008.6.6)
【手続補正２】
【補正対象書類名】図面
【補正対象項目名】全図
【補正方法】変更
【補正の内容】
【図１】
0003143975.tif 000008
【図２】
0003143975.tif 000009
【図３】
0003143975.tif 000010
【図４】
0003143975.tif 000011
【図５】
0003143975.tif 000012
【図６】
0003143975.tif 000013
【図７】
0003143975.tif 000014
【図８】
0003143975.tif 000015